(57)【要約】【課題】様々な照明条件に対応することができる照明装置を提供する。【解決手段】室内と室外とを区画する壁部に設けられる窓枠１０と、それぞれ光透過性を有し、互いに間隙を介して対向した状態で窓枠１０に保持された一対の透光板２０，２１と、窓枠１０と一対の透光板２０，２１とによって画定される空間Ｓに設けられた光源４０とを備えていることを特徴とする。【選択図】図１
2011134533.tif 000002
【特許請求の範囲】
【請求項１】
室内と室外とを区画する壁部に設けられる窓枠と、
それぞれ光透過性を有し、互いに間隙を介して対向した状態で前記窓枠に保持された一対の透光板と、
前記窓枠と前記一対の透光板とによって画定される空間に設けられた光源とを備えていることを特徴とする照明装置。
【請求項２】
前記空間には前記一対の透光板に沿って線状の支持体が設けられ、
前記光源は、前記支持体に固定されていることを特徴とする請求項１に記載の照明装置。
【請求項３】
前記支持体は、格子状に配設されていることを特徴とする請求項１又は２に記載の照明装置。
【請求項４】
前記光源は、前記格子状に配設された支持体の交差部に設けられていることを特徴とする請求項３に記載の照明装置。
【請求項５】
前記一対の透光板のうち、室外側に設けられた一方の透光板の対向面が室内側に設けられた他方の透光板の対向面よりも反射率が大きくなっており、
前記光源は、前記室外側に設けられた一方の透光板の対向面に向けて光を照射するように設けられていることを特徴とする請求項１から４のうちいずれか一項に記載の照明装置。
【請求項６】
前記支持体は、前記他方の透光板側に設けられていることを特徴とする請求項５に記載の照明装置。
【請求項７】
前記光源は、前記一対の透光板のうち、室内側に設けられた一方の透光板に向けて光を照射するように設けられていることを特徴とする請求項１から４のうちいずれか一項に記載の照明装置。
【請求項８】
前記一方の透光板は、室外側に設けられた他方の透光板よりも散光率が高められていることを特徴とする請求項７に記載の照明装置。
【請求項９】
前記支持体は、前記他方の透光板側に設けられていることを特徴とする請求項７又は８に記載の照明装置。
【請求項１０】
前記窓枠は、枠内周に前記一対の透光板を挿入される環状溝が形成されており、
前記光源は、前記環状溝に設けられていることを特徴とする請求項１に記載の照明装置。
【請求項１１】
前記光源は、前記環状溝の全周に沿って設けられていることを特徴とする請求項１０に記載の照明装置。
【請求項１２】
外光を検出する光センサと、
前記外光の検出量が閾値以下となった場合に、前記光源を点灯させる制御部とを備えることを特徴とする請求項１から１１のうちいずれか一項に記載の照明装置。
【請求項１３】
時間を計測するタイマーと、
前記時間が所定の時間となった場合に、前記光源を点灯させる制御部とを備えることを特徴とする請求項１から１２のうちいずれか一項に記載の照明装置。
【発明の詳細な説明】
【技術分野】
【０００１】
本発明は、照明装置に関するものである。
【背景技術】
【０００２】
従来、室内の照明装置としては、天井に配設して用いられるものが知られている。このような照明装置は、天井への配設の際に工事が必要となるためにコストや配設の手間が掛かってしまうという不具合がある。また、使用の際においては、照明装置からの放熱によって室内上部に熱溜りが生じてしまうという不具合がある。
【０００３】
このような不具合を防止することができる照明装置としては、下記特許文献１のものがある。この照明装置は、発光部が内蔵された窓台と三方枠とで窓枠が構成され、この窓枠に透過性を有する面板を保持させたものであり、発光部が面板の下端面に光を照射することによって面板を輝かせるものである。
【先行技術文献】
【特許文献】
【０００４】
【特許文献１】特開２００７−３１５０７３号公報
【発明の概要】
【発明が解決しようとする課題】
【０００５】
しかしながら、従来の技術は、発光部が窓台に内蔵されて面板の下端面のみから光を照射する構成であるために、光の強さや方向が下側に偏ってしまうという問題があった。また、日昼に外光を採光した際と照明の際とのそれぞれの照明条件（光の強さや方向等）に大きな相違が生じてしまうという問題があった。
【０００６】
本発明は、このような事情を考慮してなされたもので、その目的は、様々な照明条件に対応することができる照明装置を提供することにある。
【課題を解決するための手段】
【０００７】
上記目的を達成するために、本発明は以下の手段を採用している。
すなわち、本発明に係る照明装置は、室内と室外とを区画する壁部に設けられる窓枠と、それぞれ光透過性を有し、互いに間隙を介して対向した状態で前記窓枠に保持された一対の透光板と、前記窓枠と前記一対の透光板とによって画定される空間に設けられた光源とを備えていることを特徴とする。
この構成によれば、窓枠と一対の透光板とによって画定される空間に光源が設けられているために、光源の配置の自由度が向上する。これにより、光源の配置を変更することにより、様々な照明条件（光の強さや方向等）に対応することができる。
【０００８】
また、前記空間には前記一対の透光板に沿って線状の支持体が設けられ、前記光源は、前記支持体に挿入されていることを特徴とする。
この構成によれば、光源が線状の支持体に固定されているので、室外から室内へと一対の透光板を透過する外光や光源からの光を極力妨げずに、光源を透光板の板面中央側に配置することが可能となる。
【０００９】
また、前記支持体は、格子状に配設されていることを特徴とする。
この構成によれば、支持体が格子状に配設されているので、光源の配置の自由度を更に向上させることができる。また、格子状に配設された支持体によって意匠的効果を高めることができる。
【００１０】
また、前記光源は、前記格子状に配設された支持体の交差部に設けられていることを特徴とする。
この構成によれば、光源が格子状に配設された支持体の交差部に配設されているので、光源が均一的に配置されることとなり、装置全体の照度を均一的にすることができる。また、意匠的効果を高めることができる。
【００１１】
また、前記一対の透光板のうち、室外側に設けられた一方の透光板の対向面が室内側に設けられた他方の透光板の対向面よりも反射率が大きくなっており、前記光源は、前記室外側に設けられた一方の透光板の対向面に向けて光を照射するように設けられていることを特徴とする。
この構成によれば、一対の透光板のうち、室外側に設けられた一方の透光板の対向面の反射率が大きくなっており、光源が室外側に設けられた一方の透光板の対向面に向けて光を照射するので、光源の光を反射させることによる間接照明効果によって、均一的な照度で室内を照明することができ、また、柔らかな光で室内を照明することができる。
【００１２】
また、前記支持体は、前記他方の透光板側に設けられていることを特徴とする。
この構成によれば、光源が支持された支持体が室外側に設けられた他方の透光板側に設けられているので、光源と一方の透光板の対向面との距離を大きくする。これにより、光源から照射された光を、室外側の一方の透光板の対向面に到達するまでに、より大きく拡散させることができる。これにより、室外側に設けられた一方の透光板の対向面で反射した光の照度が均一的なものとなるために、結果的に室内の照度をより均一的にすることができる。
【００１３】
また、前記光源は、前記一対の透光板のうち、室内側に設けられた一方の透光板に向けて光を照射するように設けられていることを特徴とする。
この構成によれば、室内側に設けられた一方の透光板に向けて光を照射するように設けられているので、光源からの光を反射させた場合に比べて直接的に強い照度で室内を照明することができる。
【００１４】
また、前記一方の透光板は、室外側に設けられた他方の透光板よりも散光率が高められていることを特徴とする。
この構成によれば、光源から照射された光や外光を効果的に散光し、より均一的な照度で室内を照明することができる。
【００１５】
また、前記支持体は、前記他方の透光板側に設けられていることを特徴とする。
この構成によれば、光源が支持された支持体が室内側に設けられた他方の透光板側に設けられているので、光源から照射された光を、室内側の一方の透光板の対向面に到達するまでに、より大きく拡散させることができる。これにより、室内側に設けられた一方の透光板を透過する光の照度が均一的なものとなるために、結果的に室内の照度をより均一的にすることができる。
【００１６】
また、前記窓枠は、枠内周に前記一対の透光板を挿入される環状溝が形成されており、前記光源は、前記環状溝に設けられていることを特徴とする。
この構成によれば、光源が枠内周に形成された環状溝に設けられているので、光源からの光を空間内で拡散させた後に透光板を透過させるので、室内を均一的に照明することができる。さらに、外部から光源が視認し難くなり、意匠的効果を高めることができる。
【００１７】
また、前記光源は、前記環状溝の全周に沿って設けられていることを特徴とする。
この構成によれば、光源が環状溝の全周に設けられているので、窓枠の全部又は一部に沿って光を照射し、より均一的に照明することができる。
【００１８】
また、外光を検出する光センサと、前記外光の検出量が閾値以下となった場合に、前記光源を点灯させる制御部とを備えることを特徴とする。
この構成によれば、光センサと光源を点灯させる制御部とを備えるので、室外からの光に対応させて自動的に照明をすることができる。
【００１９】
また、時間を計測するタイマーと、前記時間が所定の時間となった場合に、前記光源を点灯させる制御部とを備えることを特徴とする。
この構成によれば、タイマーと光源を点灯させる制御部とを備えるので、照明が必要となる時間に自動的に照明をすることができる。
【発明の効果】
【００２０】
本発明に係る照明装置によれば、様々な照明条件に対応することができる。
【図面の簡単な説明】
【００２１】
【図１】本発明の第一実施形態に係る照明装置Ａの縦断面図である。
【図２】本発明の第一実施形態に係る照明装置Ａの要部断面図であって、図１における要部Ｉの拡大図である。
【図３】本発明の第一実施形態に係る照明装置Ａを示す図であって、図１におけるII矢視図である。
【図４】本発明の第一実施形態に係る照明装置Ａを示す要部断面図であって、図１におけるIII−III線断面図である。
【図５】本発明の第一実施形態に係る照明装置Ａの第一の作用説明図である。
【図６】本発明の第一実施形態に係る照明装置Ａの第二の作用説明図である。
【図７】本発明の第二実施形態に係る照明装置Ｂの縦断面図である。
【図８】本発明の第二実施形態に係る照明装置Ｂの要部断面図であって、図７における要部IVの拡大断面図である。
【図９】本発明の第二実施形態に係る照明装置Ｂを示す図であって、図１におけるＶ矢視図である。
【図１０】本発明の第三実施形態に係る照明装置Ｃの縦断面図である。
【図１１】本発明の第三実施形態に係る照明装置Ｃの要部断面図であって、図１０における要部VIの拡大断面図である。
【図１２】本発明の第三実施形態に係る照明装置Ｃの作用説明図である。
【発明を実施するための形態】
【００２２】
以下、図面を参照し、本発明の実施の形態について説明する。
（第一実施形態）
図１は、本発明の第一実施形態に係る照明装置Ａの縦断面図であり、図２は、図１における要部Ｉの要部拡大断面図であり、図３は、図１におけるII矢視図であり、図４は、図１におけるIII−III線断面図である。
【００２３】
照明装置Ａは、室内照明として機能する他に、建物の壁Ｗａに形成された窓開口部ｏに嵌め込まれる建具としても機能するものであり、窓開口部ｏに窓Ｗｉを構成している。
この照明装置Ａは、図１に示すように、窓枠１０と、一対のガラス板（一対の透光板）２０，２１と、アルミグリッド３０と、ＬＥＤ（光源）４０と、光センサ５０と、制御部６０とを備えている。
【００２４】
窓枠１０は、窓内枠１０ａと、窓外枠１０ｂとからなる。
窓内枠１０ａは、略矩形状に形成されており、図１に示すように、枠骨の断面がコ字状に形成されて内周に内周溝１１が形成されたものである。この窓内枠１０ａは、窓外枠１０ｂに嵌め込まれている。
窓外枠１０ｂは、窓開口部ｏの縁を被覆しており、窓内枠１０ａを外嵌している。
【００２５】
一対のガラス板２０，２１は、図１に示すように、互いに間隙を介して対向した状態で窓内枠１０ａに保持されている。より具体的には、図２に示すように、一方のガラス板２０が、内周溝１１を構成する二つの内側壁１１ａ，１１ｂのうち一方の内側壁１１ａに沿うように、他方のガラス板２１が、他方の内側壁１１ｂに沿うようにして固定されている。
【００２６】
図１に示すように、これら一対のガラス板２０，２１は、ガラス板２０が室外側に、ガラス板２１が室内側に配置されている。なお、以下においては、ガラス板２０を室外側ガラス２０と、ガラス板２１を室内側ガラス２１と称し、室外側ガラス２０及び室内側ガラス２１をまとめていう場合にガラス板２０，２１と称するものとする。
【００２７】
室外側ガラス板２０は、グレースガラスからなっており、室内側ガラス板２１は、クリアガラスからなっている。
このような構成により、一対の室外側ガラス板２０，２１は、窓内枠１０ａと共に空間Ｓを画定している。
【００２８】
アルミグリッド３０は、図３に示すように、アルミニウムからなる線状部材（支持体）が格子状に配設されたものであり、一対のガラス板２０，２１の板面と略同大に形成されている。
このアルミグリッド３０は、各端辺部が窓内枠１０ａに固定されており（図１参照）、一対のガラス板２０，２１の板面に沿って配設されている。より具体的には、図１に示すように、一対のガラス板２０，２１に対してそれぞれ間隙を形成した状態で、室外側ガラス板２０よりも室内側ガラス板２１側に近接な位置に配設されている。
【００２９】
ＬＥＤ（Light Emitting Diode）４０は、図１及び図４に示すように、アルミグリッド３０に複数個設けられている。具体的には、図４に示すように、アルミグリッド３０における線状部材の各交差部の室外側において、それぞれ一つずつ設けられている。これら複数のＬＥＤ４０は、それぞれ室外側ガラス板２０に向けて、光を照射するように固定されている。なお、図４においては、上側のＬＥＤ４０を非点灯状態で、下側のＬＥＤ４０を点灯状態で図示している。
【００３０】
図１に示すように、光センサ５０と制御部６０は、一体的に形成されたものであり、比較的に小型かつ薄型のものである。これら光センサ５０及び制御部６０は、室外側ガラス２０の室内側の板面の中央側に貼付されている。
光センサ５０は、受光部を室外側に向けており、室外の光量を検出する。
制御部６０は、光量に応じて光センサ５０から供給される検出信号が、所定の閾値未満の場合にＬＥＤ４０を点灯させ、閾値以上の場合にＬＥＤ４０を非点灯とする。この閾値は、昼夜における光量の境界値が設定されている。
【００３１】
次に、上記の構成からなる照明装置Ａによる作用について説明する。
日中においては、光センサ５０が日中の比較的に多い光量に応じた検出信号を制御部６０に供給する。制御部６０は、供給された検出信号が閾値以上であると判定し、ＬＥＤ４０を非点灯とする。
【００３２】
そして、照明装置Ａは、図５に示すように、ＬＥＤ４０を非点灯として外光を採光する。具体的には、図１に示すように、室外の外光が、まず室外側ガラス板２０を透過した後に、アルミグリッド３０の目を通過し（図３参照）、さらに室内側ガラス板２１を透過する。この際、室外側ガラス板２０がグレースガラスからなるために、室外側ガラス板２０によって散光した外光がアルミグリッド３０に到達し、このアルミグリッド３０の目を良好に通過した後に室内側ガラス板２１に到達する。そして、室内側ガラス板２１は、クリアガラスからなるために、到達した光の大部分を透過させて、図５に示すように、室内に外光が採光される。
このように、日中においては、ＬＥＤ４０を非点灯とした状態で、外光を妨害せずに室内への採光がなされる。
【００３３】
一方、照明装置Ａは、図６に示すように、夜間においては、ＬＥＤ４０を点灯させて室内を照明する。
夜間になって外光が殆どなくなると、光センサ５０がこの光量に応じた検出信号を制御部６０に供給する。制御部６０は、供給された検出信号が閾値未満であると判定してＬＥＤ４０を点灯させる。
【００３４】
点灯したＬＥＤ４０は、室外側ガラス板２０に向けて光を照射する。この際、格子状のアルミグリッド３０の各交差部にＬＥＤ４０が配置されているために、ＬＥＤ４０の配置密度が均一的になっており、室外側ガラス板２０に照射される光が均一的なものとなる。
また、アルミグリッド３０を室内側ガラス板２１側に配置しているために、各ＬＥＤ４０と室外側ガラス板２０との距離が大きくなっており、室外側ガラス２０に到達するまでにＬＥＤ４０からの光が十分に拡散されて、室外側ガラス板２０の各部位に到達する光が均一的なものとなる。
【００３５】
室外側ガラス板２０は、ＬＥＤ４０から照射された光を散光させて、この散光による反射光をアルミグリッド３０の目を通過させた後に、室内側ガラス板２１を透過させる。この際、室外側ガラス板２０の各部位に到達する光が均一的なものであるため、室外側ガラス板２０によって散光及び反射された光も均一的なものとなり、この均一的な光によって室内を照明する。
【００３６】
このようにして照明装置Ａは、室内を照明するが、各ＬＥＤ４０から生じた熱は、二つの熱経路を経て照明装置Ａの外部に放熱される。
第一の熱経路は、ＬＥＤ４０に生じた熱を空間Ｓ内の空気に対して熱伝達させる経路である。この際、アルミグリッド３０を、一対のガラス板２０，２１とそれぞれ間隙を形成するように配設させているために、各ＬＥＤ４０の放熱スペースが十分に確保されており、ＬＥＤ４０の空気に対する放熱が良好になされる。そして、空気中に放出された熱は、一対のガラス板２０，２１や窓内枠１０ａに熱伝達することとなり、最終的に室外又は室内に放熱されることとなる。
夏季においては、室内の他に室外に熱が排出されることとなるために、冷房効果が高められる。一方、冬季であれば、ＬＥＤ４０からの放熱で空間Ｓにおける空気の温度が上昇するために、室外との断熱効果を高めて暖房効果が高められる。
【００３７】
第二の熱経路は、ＬＥＤ４０に生じた熱をアルミグリッド３０に対して接触熱伝導させる経路である。そして、このアルミグリッド３０に熱伝導した熱は、窓内枠１０ａ→窓外枠１０ｂ→一対のガラス板２０，２１・壁Ｗａ→室外・室内に伝熱していく。この際、アルミグリッド３０が格子状に形成されているため、各ＬＥＤ４０の使用温度条件をほぼ均一にすることができ、発光ムラ等が生じ難くなる。
【００３８】
以上説明したように、照明装置Ａによれば、窓内枠１０ａと一対のガラス板２０，２１とによって確定される空間にＬＥＤ４０が設けられているために、ＬＥＤ４０の配置の自由度が向上する。これにより、ＬＥＤ４０の配置を変更することにより、様々な照明条件（光の強さや方向等）に対応することができる。
すなわち、日中においては室外から外光を採光すると共に、夜間においては日中の外光採光時と近似する照明条件で照明をする構成が可能となり、昼夜を問わず、窓Ｗｉから同様の明かりを得ることが可能となる。
【００３９】
また、照明装置Ａによれば、窓Ｗｉの設置工事が照明配設工事を兼ねることとなるために、天井照明と比較して工事費用を抑制することができ、また、建物全体の工事を簡略化することができる。
また、照明装置Ａによれば、一対のガラス板２０，２１が二重窓として機能するために、室内の冷暖房効果を高めることができ、建物全体の省エネルギー化を促進することができる。さらに、照明装置Ａからの放熱によって、天井照明のように室内上部に熱溜りが生じてしまうという不具合もない。
【００４０】
また、ＬＥＤ４０がアルミグリッド３０の線状部材に固定されているので、室外から室内へと一対のガラス板２０，２１を透過する外光を極力妨げずに、ＬＥＤ４０を一対のガラス板２０，２１の板面中央側に配置することが可能となる。
また、アルミグリッド３０が格子状なので、ＬＥＤ４０の配置の自由度を更に向上させることができ、また、意匠的効果を高めることができる。さらに、二重窓として機能する一対のガラス板２０，２１の間に、格子状のアルミグリッド３０が配設されるので、高い防犯効果を得ることができる。
【００４１】
また、ＬＥＤ４０がアルミグリッド３０の交差部に配設されているので、ＬＥＤ４０が均一的に配置されることとなり、照明装置Ａ全体の照度を均一的にすることができる。また、意匠的効果を高めることができると共に、各ＬＥＤ４０の放熱条件を均一的にして、発光ムラを抑止することができる。
【００４２】
また、ＬＥＤ４０が、室外側ガラス板２０に向けて光を照射するように設けられているので、ＬＥＤ４０から照射された光を室外側ガラス板２０に散光させて、この反射光を室内側ガラス板２１に透過させる。これにより、間接照明効果によって均一的な照度で室内を照明することができ、また、柔らかな光で室内を照明することができる。よって、照明装置Ａを、夜間においては心地よい光をもたらす明かり窓として機能させることが可能となる。
【００４３】
また、光センサ５０とＬＥＤ４０を点灯させる制御部６０とを備えるので、室外からの光に対応させて自動的に照明をすることができる。換言すれば、光量の少なくなる夕刻において、自動的にＬＥＤ４０を点灯させて室内を照明することが可能となり、光量の多くなる明け方に自動的にＬＥＤ４０を非点灯にすることが可能となる。
【００４４】
なお、本実施形態においては、室内側ガラス板２１にグレースガラスを用いたが、グレースガラスに代えてクリア熱線反射ガラスを用いてもよい。この場合には、非反射面を室外側に向けると共に、反射面を室内側に向ける構成とすると、日中において多くの外光を採光することができると共に、夜間においてＬＥＤ４０から照射された光を室内に多く反射させることができる。
さらに、室内側ガラス板２１にクリア／フロスト変換ガラスを用いてもよい。この構成によれば、日中にクリヤクリアガラスにすることで、多くの外光を採光することができ、夜間にグレースガラスとすることで、上記の同様に間接照明効果により室内を照明することができる。
【００４５】
また、上述した実施の形態では、線状部材を格子状にしたアルミグリッド３０を用いたが、アルミ以外の材質のものでもよい。
【００４６】
また、本実施形態では、アルミグリッド３０を用いて、線状部材を格子状に配設させたが、必ずしも格子状に設ける必要はなく、例えば、一方向に連続して並設させる構成にしてもよい。例えば、線状部材を上下方向に複数本配設し、各線状部材において上下方向に間隔を空けてＬＥＤ４０を設ける構成としてもよい。さらに、横方向であってもよいし、斜め方向であってもよいし、複数の方向にランダムに配設してもよい。
【００４７】
また、本実施形態では、光センサ５０を用いて光量の大小で昼夜を判別し、ＬＥＤ４０の点灯を制御するように構成したが、光量のほか光の強さによってＬＥＤ４０の点灯を制御する構成にしてもよい。
また、本実施形態では、光センサ５０を用いてＬＥＤ４０の点灯をフィードバック制御する構成としたが、例えば、光センサ５０の代わりにタイマーを設けて夕刻になった場合にＬＥＤ４０を点灯させ、明け方になった場合にＬＥＤ４０を非点灯とする構成にしてもよい。あるいは、タイマーと光センサとを重畳的に設けてもよい。
【００４８】
（第二実施形態）
図７は、本発明の第二実施形態に係る照明装置Ｂの縦断面図であり、図８は、図７の要部IVの拡大断面図である。なお、図７及び図８において、図１から図６と同様の構成要素については同一の符号を付して、その説明を省略する。
図７に示すように、照明装置Ｂは、窓内枠１０ａと、一対のガラス板２２，２３と、アルミグリッド３１と、ＬＥＤ４１と、光センサ５０と、制御部６０とを備えている。
なお、以下においては、ガラス板２２を室外側ガラス２２と、ガラス板２３を室内側ガラス２３と称し、室外側ガラス２２及び室内側ガラス２３をまとめていう場合にガラス板２２，２３と称するものとする。
【００４９】
室外側ガラス板２２は、室外側ガラス板２０と同様の構成となっているが、クリアガラスからなっている点が異なる。
室内側ガラス板２３は、室内側ガラス板２１と同様の構成となっているが、グレースガラス（散光板）からなっている点が異なる。
【００５０】
アルミグリッド３１は、図９に示すように、アルミグリッド３０と同様の構成となっているが、図７に示すように、一対のガラス板２２，２３に対してそれぞれ間隙を形成した状態で、室内側ガラス板２３よりも、室外側ガラス板２２側に近接な位置に配設されている点で異なる。
【００５１】
ＬＥＤ４１は、図７及び図８に示すように、ＬＥＤ４０とほぼ同様の構成となっているが、アルミグリッド３１の交差部の室内側に配設されており、光を照射する方向が室内側ガラス板２３側である点で異なる。
【００５２】
この照明装置Ｂは、日中においては、ＬＥＤ４１を非点灯とした状態で外光を採光する。具体的には、図７に示すように、室外の外光が、まず室外側ガラス板２２を透過した後に、アルミグリッド３１の目を通過し（図９参照）、さらに室内側ガラス板２３を透過する。この際、室外側ガラス板２２がクリアガラスからなるために、光損失を殆ど生じさせずに外光がアルミグリッド３１に到達し、このアルミグリッド３１の目を良好に通過して室内側ガラス板２３に到達する。そして、室内側ガラス板２３は、グレースガラスからなるために、到達した外光の大部分を散光させて、室内に外光が採光される。
【００５３】
一方、照明装置Ｂは、夜間においては、ＬＥＤ４１を点灯させて室内を照明する。
点灯したＬＥＤ４１は、室内側ガラス板２３に向けて光を照射する。この際、格子状のアルミグリッド３１の交差部にＬＥＤ４１が配置されているために、ＬＥＤ４１の配置密度が均一的になっており、室内側ガラス板２３に照射される光が均一的なものとなる。
また、アルミグリッド３１を室外側ガラス板２２側に配置しているために、各ＬＥＤ４１と室内側ガラス板２３との距離が大きくなっており、室内側ガラス板２３の各部位に到達する光が均一的なものとなる。
このようにして、室内側ガラス板２３は、ＬＥＤ４１から照射されて均一的に到達した光を散光させて室内を照明する。
なお、各ＬＥＤ４１から生じた熱は、二つの熱経路を経て照明装置Ｂの外部に放熱される。
【００５４】
以上説明したように、照明装置Ｂによれば、室内側ガラス板２３がグレースガラス（散光板）となっているので、ＬＥＤ４０から室内側ガラス２３に照射された光を散光させ、この散光させた光によって間接的に室内を照明することができる。この際、ＬＥＤ４０からの光を反射させた場合に比べて直接的に強い照度で室内を照明することができる。
【００５５】
また、アルミグリッド３１が室外側ガラス板２２側に設けられているので、ＬＥＤ４１と室内側ガラス板２３との間の距離を大きくして、散光効果を高める。これにより、間接照明効果を大きくして、照度をより均一的にすることができる。
【００５６】
なお、本実施形態では、室外側ガラス板２２にクリアガラスを用いる構成としたが、グレースガラスやクリア熱線反射ガラス、クリア／フロスト変換ガラス等の各種ガラスを用いることが可能である。但し、外光を採光し易いものが望ましい。
また、本実施形態では、室内側ガラス板２３にグレースガラスを用いる構成としたが、クリアガラスやクリア熱線反射ガラス、クリア／フロスト変換ガラス等の各種ガラスを用いることが可能である。但し、ＬＥＤ４１点灯時に照明が強くなり過ぎないように、ある程度は散光することができるものが望ましい。
【００５７】
（第三実施形態）
図１０は、本発明の第三実施形態に係る照明装置Ｃの縦断面図であり、図１１は、図１０の要部VIの拡大断面図である。なお、図１０及び図１１において、図１から図９と同様の構成要素については同一の符号を付して、その説明を省略する。
図１０に示すように、照明装置Ｃは、窓内枠１０ａと、一対のガラス板２０，２１と、ＬＥＤ４２と、光センサ５０と、制御部６０とを備えている。この照明装置Ｃは、照明装置Ａ，Ｂと異なり、アルミグリッドを備えていない。
【００５８】
ＬＥＤ４２は、溝底面に複数設けられており、内周溝１１の全周に沿って連続的に固定されている。各ＬＥＤ４２は、溝底面の法線方向に向けて光を照射するように配設されている。
【００５９】
この構成によれば、ＬＥＤ４０から照射された光を空間Ｓ内で拡散させた後に一対のガラス板２０，２１を透過させるので、室内を均一的に照明することができ、図１２（ａ）に示すように、一対のガラス板２０，２１の全辺を照明することで、意匠的効果と照明機能とを両立させて、室内を照明することができる。
また、図１２（ｂ）〜（ｅ）に示すように、照明する辺を部分的にすることで、意匠的効果と照明機能とを両立させることができる。
【００６０】
さらに、ＬＥＤ４２が内周溝１１に設けられているので、内周溝１１の内側壁１１ａ，１１ｂによってＬＥＤ４２が視認し難くなり、意匠的効果を高めることができる。
【００６１】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態では、一対の透光板としてガラス板を用いる構成にしたが、アクリル樹脂板等を用いてもよい。
【００６２】
また、上述した実施の形態では、光センサ５０や制御部６０を設ける構成としたが、これらを省略して手動でＬＥＤを点灯させてもよい。
また、上述した実施の形態では、光センサ５０と制御部６０とを一体的に形成したが光センサ５０と制御部６０とを別体にしてもよいのは当然である。
【００６３】
また、上述した実施の形態では、窓内枠１０ａと窓外枠１０ｂとで窓枠１０を構成としたが、窓外枠１０ｂは必ずしも必要でなく、壁Ｗａの開口部ｏに内枠１０ａを窓枠として直接嵌め込むように構成してもよい。
【００６４】
また、上述した実施の形態では、壁Ｗａの開口部ｏに嵌め込まれる窓Ｗｉを構成するように照明装置Ａを構成したが、例えば、屋根（あるいは天井）の開口部に本発明に係る照明装置を適用してもよい。すなわち、本明細書において「壁部」とは、壁という狭義の意味で用いているものではなく、室内と室外とを区画する天井・屋根・壁等を含む広義の意味で用いている。
【００６５】
また、上述した実施の形態では、光源としてＬＥＤ４０を用いたが、ＬＥＤ４０に代えて白熱電球や蛍光灯を用いてもよい。なお、上述した第三実施形態においては、ＬＥＤ４０を内周溝１１に沿って複数連続的に設ける構成としたが、長尺状の蛍光灯を内周溝の延在方向に沿って配設する構成としてもよい。
【符号の説明】
【００６６】
１０…窓内枠（窓枠）
１１…内周溝
２１〜２３…ガラス板（透光板）
３０，３１…アルミグリッド
４０〜４２…ＬＥＤ（光源）
５０…光センサ
６０…制御部
Ａ〜Ｃ…照明装置
Ｓ…空間
【図１】
2011134533.tif 000003
【図２】
2011134533.tif 000004
【図３】
2011134533.tif 000005
【図４】
2011134533.tif 000006
【図５】
2011134533.tif 000007
【図６】
2011134533.tif 000008
【図７】
2011134533.tif 000009
【図８】
2011134533.tif 000010
【図９】
2011134533.tif 000011
【図１０】
2011134533.tif 000012
【図１１】
2011134533.tif 000013
【図１２】
2011134533.tif 000014